(57)【特許請求の範囲】
【請求項１】
作業船の進行方向前方の海上に浮かせて配置し、作業船に引き上げられる海苔網により後押しされて前方へ移動しながら海上の浮遊物を除去する浮遊物収容体を備えていることを特徴とする、
海上浮遊物の除去装置。
【請求項２】
浮遊物収容体は、浮遊物取り入れ口が海面を含む高さに位置するようにしてあり、
上記浮遊物収容体を海苔網に沿って案内する案内手段と、
海苔網を海面下方へ誘導する誘導手段と、
を備えていることを特徴とする、
請求項１記載の海上浮遊物の除去装置。
【請求項３】
案内手段が、海苔網の幅方向の両端より外側に設けられた横ずれ防止体(4)であることを特徴とする、
請求項２記載の海上浮遊物の除去装置。
【請求項４】
横ずれ防止体(4) が、障害物に当たったとき逃げるよう構成されていることを特徴とする、
請求項３記載の海上浮遊物の除去装置。
【請求項５】
収容体の後方に、引き上げられる海苔網と接触して、該海苔網による後押しを円滑にするための手段を備えていることを特徴とする、
請求項１，２，３または４記載の海上浮遊物の除去装置。
【請求項６】
海苔採取時に海苔採取作業船の進行方向前方の海上に浮かせて配置し、該作業船に引き上げられる海苔網により後押しされて前方へ移動しながら海上の浮遊物を収容する収容網(6)を備えて構成されているものであって、
海苔網を海面下方へ誘導する誘導体と、
海苔網の両側より外側に設けられており、上記収容網(6) の浮遊物取り入れ口(60)がずれないようにする横ずれ防止体(4) と、
上記収容網(6) の前方と後方に設けられており、上記収容網(6) の浮遊物取り入れ口(60)が海面を含む高さになるようにするためのフロート(2) と、
を備え、
上記横ずれ防止体(4)は、障害物に当たったときに逃げるよう構成されており、
収容網(6) の後方に設けられたフロート(2)は、引き上げられる海苔網と接触したとき回転するよう取り付けてあることを特徴とする、
海上浮遊物の除去装置。
【請求項７】
海苔採取作業船(8) に設けられることを特徴とする、
請求項１，２，３，４，５または６記載の海上浮遊物の除去装置。
【請求項８】
海上浮遊物の除去方法であって、
浮遊物収容体を作業船の進行方向の前方の海上に浮かせて配置し、当該浮遊物収容体が作業船に引き上げられる海苔網により後押しされて前方へ移動しながら海上の浮遊物を除去することを特徴とする、
海上浮遊物の除去方法。
【発明の詳細な説明】
【０００１】
【発明の属する技術分野】
本発明は、海上浮遊物の除去装置及び海上浮遊物の除去方法に関する。
更に詳しくは、作業船の進行方向前方の海上に浮かせて配置し、作業船に引き上げられる海苔網により後押しされて前方へ移動しながら海上の浮遊物を除去するようにして、設置作業等の手間を省いたものに関する。
【０００２】
【従来技術】
海苔は、種（胞子）を付着させた海苔網を、海上に係留することによって養殖されている。海苔網に付着して生育した海苔は、海苔採取作業船を海苔網の長さ方向に前進させながら、海苔網を海苔採取作業船に引き上げて、この海苔網から垂れ下がった箇所を回転刃で刈り取って採取されている。
【０００３】
ところで海面上には、木片、藁、合成樹脂の欠片や袋などのゴミ（以下、総称して「浮遊物」という）が浮遊していることが多い。そのためこれらを取り除かないで上記したようにして海苔を採取すると、海苔だけでなく海苔網に引っ掛かったこれらの浮遊物も一緒に採取されてしまうことになる。
【０００４】
例えば、特開平１１−１６９００２号公報には、海面に浮遊している浮遊物を除去しながら海苔を刈り取るようにして、採取した海苔に浮遊物が混入するのを防止するようにした浮遊物の除去装置が開示されている。この除去装置は、一部を海苔採取作業船の所要位置に固定することで進行方向の前側に動かないように取り付けられている。
【０００５】
【発明が解決しようとする課題】
しかし、上記公報記載の浮遊物の除去装置には、次のような課題があった。
即ち、上記した除去装置は、一部を海苔採取作業船の所要位置に固定することで取り付けられるようにしてあるので、除去装置の設定が迅速にできず手間を要していた。
また、除去装置を取り付けた後においても、海苔を採取するまでには、前準備として、海苔網を装置の案内アームの内側にくぐらせたり、水切り棒の上方に通したりしなければならなかったので、相当の時間がかかっていた。
【０００６】
（目  的）
本発明の目的は、上記課題を解消するもので、海苔採取作業船への取りつけ作業等の手間を省いた海上浮遊物の除去装置及び海上浮遊物の除去方法を提供することにある。
【０００７】
【課題を解決するための手段】
上記目的を達成するために講じた本発明の手段は次のとおりである。
第１の発明にあっては、
作業船の進行方向前方の海上に浮かせて配置し、作業船に引き上げられる海苔網により後押しされて前方へ移動しながら海上の浮遊物を除去する浮遊物収容体を備えていることを特徴とする、
海上浮遊物の除去装置である。
【０００８】
第２の発明にあっては、
浮遊物収容体は、浮遊物取り入れ口が海面を含む高さに位置するようにしてあり、
上記浮遊物収容体を海苔網に沿って案内する案内手段と、
海苔網を海面下方へ誘導する誘導手段と、
を備えていることを特徴とする、
第１の発明に係る海上浮遊物の除去装置である。
【０００９】
第３の発明にあっては、
案内手段が、海苔網の幅方向の両端より外側に設けられた横ずれ防止体(4)であることを特徴とする、
第２の発明に係る海上浮遊物の除去装置である。
【００１０】
第４の発明にあっては、
横ずれ防止体が、障害物に当たったとき逃げるよう構成されていることを特徴とする、
第３の発明に係る海上浮遊物の除去装置である。
【００１１】
第５の発明にあっては、
収容体の後方に、引き上げられる海苔網と接触して、該海苔網による後押しを円滑にするための手段を備えていることを特徴とする、
第１，第２，第３または第４の発明に係る海上浮遊物の除去装置である。
【００１２】
第６の発明にあっては、
海苔採取時に海苔採取作業船の進行方向前方の海上に浮かせて配置し、該作業船に引き上げられる海苔網により後押しされて前方へ移動しながら海上の浮遊物を収容する収容網を備えて構成されているものであって、
海苔網を海面下方へ誘導する誘導体と、
海苔網の両側より外側に設けられており、上記収容網の浮遊物取り入れ口がずれないようにする横ずれ防止体と、
上記収容網の前方と後方に設けられており、上記収容網の浮遊物取り入れ口が海面を含む高さになるようにするためのフロートと、
を備え、
上記横ずれ防止体は、障害物に当たったときに逃げるよう構成されており、
収容網の後方に設けられたフロートは、引き上げられる海苔網と接触したとき回転するよう取り付けてあることを特徴とする、
海上浮遊物の除去装置である。
【００１３】
第７の発明にあっては、
海苔採取作業船(8) に設けられることを特徴とする、
第１，第２，第３，第４，第５または第６の発明に係る海上浮遊物の除去装置。
【００１４】
第８の発明にあっては、
海上浮遊物の除去方法であって、
浮遊物収容体を作業船の進行方向の前方の海上に浮かせて配置し、当該浮遊物収容体が作業船に引き上げられる海苔網により後押しされて前方へ移動しながら海上の浮遊物を除去することを特徴とする、
海上浮遊物の除去方法である。
【００１５】
本発明に係る海上浮遊物の除去装置及び海上浮遊物の除去方法は、べた流し方式で係留された海苔網に対しても使用することができるし、支柱柵方式で係留された海苔網に対しても使用することができる。なお、べた流し方式は、所要間隔を以て海面に浮かべてあるフロート等の間に海苔網を取り付けて係留する係留方式であり、支柱柵方式は、所要間隔を以て海底に立てた支柱等の間に海苔網を取り付けて係留する係留方式である。
【００１６】
（作  用）
本発明に係る海上浮遊物の除去装置は、作業船の進行方向前方の海上に浮かせて配置して、作業船に引き上げられる海苔網により後押しされて前方へ移動させるだけで、海上の浮遊物が除去できる。
【００１７】
本発明に係る海上浮遊物の除去装置は、上記したように作業船の進行方向前方の海上に浮かべて配置するだけで、直ちに海苔網を作業船に引き上げて海苔の採取作業を行うことができる。従って、除去装置では、作業船への取りつけ作業等の手間を省くことができる。これにより作業時間の短縮が図れる。
【００１８】
浮遊物取り入れ口が海面を含む高さに位置するようにしてある浮遊物収容体と、上記浮遊物収容体を海苔網に沿って案内する案内手段と、海苔網を海面下方へ誘導する誘導手段を備えたものは、海苔網を作業船に引き上げることにより海苔網を海面下方へ誘導して海苔網上に付着している浮遊物を海苔網から浮かせて離すことができる。そして、海苔網に沿って移動して、除去洩れの防止を図りながら、浮遊物収容体で浮遊物を取り込んで除去することができる。
【００１９】
案内手段が、海苔網の幅方向の両端より外側に設けられた横ずれ防止体であるものは、除去装置が横方向にずれようとするときに、横ずれ防止体が海苔網の幅方向の縁部に当たる。これにより除去装置は横方向に移動できず、取り入れ口が海苔網の上方からずれないようにできる。
【００２０】
横ずれ防止体が、障害物に当たったとき逃げるよう構成されているものは、除去装置の移動中に海苔網を係留する吊り綱や海苔網を浮かせる浮き竹等の障害物が横ずれ防止体に当たったような場合でも、横ずれ防止体は障害物から逃げて引っ掛からない。
【００２１】
収容体の後方に、引き上げられる海苔網と接触して、該海苔網による後押しを円滑にするための手段を備えているものは、引き上げられる海苔網が接触しても除去装置はなめらかに移動することができ、作業がし易い。
【００２２】
【発明の実施の形態】
本発明の実施の形態を図面に基づき更に詳細に説明する。
図１は本発明に係る海上浮遊物の除去装置の一実施の形態を示しており、収容網をフレームの取着具から取り外した状態を表した分解斜視説明図、
図２は図１に示す海上浮遊物の除去装置において、収容網を除いた状態を表す平面図である。
符号Ｓは海上浮遊物の除去装置（以下、実施の形態の欄では、単に「除去装置」という）、符号６はこの除去装置Ｓを構成する構成要素の一つである浮遊物を収容する浮遊物収容体である収容網を示している。
【００２３】
除去装置Ｓは、枠組してあるフレーム１を備えている。フレーム１は、海苔網の幅長よりもやや長い全長を有し、真っ直ぐに延びたフレーム構成材１０と、このフレーム構成材１０よりやや長く、真っ直ぐに延びたフレーム構成材１０ａと、フレーム構成材１０，１０ａの両端部に設けてあるフレーム構成材１１，１１を備えている。これらフレーム構成材１０，１０ａ及びフレーム構成材１１は、金属製の小径の丸パイプ材で形成されている。
フレーム構成材１１のそれぞれには、枠組されたときの前側寄りと、略真ん中当たりの二箇所に緩やかな折曲部１１０，１１１が形成してあり、それにより側面視において下方に向けて湾曲するように形成してある（後述する図３参照）。
また、折曲部１１１では、平面視において、後側にかけての部分が海苔網の外側を向くようにも曲げてある（図２参照）。
フレーム１は、フレーム構成材１０，１０ａを所要間隔を以て略平行に備え、その両端部間にフレーム構成材１１，１１を架設して、平面視略台形状に形成してある。
【００２４】
フレーム構成材１０，１０ａには、除去装置Ｓを浮かせるためのフロート２が取り付けてある。フロート２は発泡スチロールで形成してある。フロート２は、フレーム構成材１０，１０ａの両端側に四箇所と、この両端側に設けられたフロート２間を略均等に三分割する箇所の四箇所に、計八箇所に設けてある。
各フロート２は角を丸くした略円柱形状に形成してあり、やや弾性を有し、除去装置Ｓを海面に浮かせることができる程度の浮力を有する。
各フロート２は、中心部をフレーム構成材１０，１０ａによって貫通されており、フレーム構成材１０，１０ａを中心として回転できるように取り付けてある。また、フロート２はストッパー（図示省略）によってフレーム構成材１０，１０ａに沿って移動しないように固定されている。
なお、フレーム構成材１０ａの両端側に設けられたフロート２は、フレーム構成材１１，１１の後側が海苔網の外側を向くように曲げてあることで、内側の面が海苔網の幅方向両端よりも外側に位置するようにしてある。また、フレーム構成材１０ａに取り付けられる他のフロート２は、後述するように、引き上げられる海苔網と接触して、海苔網による後押しを円滑にするための手段を構成する。
【００２５】
フレーム構成材１０の両端部には、斜め上方に突出して腕材１２，１２が設けてある。腕材１２，１２は、金属製の小径の丸パイプ材で形成されている。
フレーム１及び腕材１２，１２には、収容網６を取り付けるための取着具３が設けてある。
取着具３は、腕材１２，１２の先部間に架設してある横骨材３１と、フレーム構成材１１，１１の折曲部１１１，１１１間に架設してある横骨材３２を備えている。横骨材３１，３２は、真っ直ぐに延びた所要径を有する金属製の線材で形成されている。なお、横骨材３２は、海苔網を海面下方へ誘導する手段を構成する。
【００２６】
横骨材３１と横骨材３２との間には、所要径を有する金属製の線材を円弧状に曲げて形成してある縦骨材３３が、横骨材３１，３２と直交するように架設してある。縦骨材３３は、下部側を横骨材３２と固着して、略真ん中辺りを横骨材３１と固着して設けてある。縦骨材３３は、横骨材３１，３２の両端側に二箇所と、横骨材３１，３２の長さを略均等に三分割する箇所の二箇所に、計四箇所に設けてある。また、縦骨材３３の上部側には、真っ直ぐに延びた所要径を有する金属製の線材からなる横骨材３４が架設してある。
各縦骨材３３の上下端には、収容網６の取着孔６００（後述）に通して引っ掛けるための引掛部３３０が形成してある。引掛部３３０は縦骨材３３の線材を曲げて形成してある。なお、横骨材３１，３２，３４は、フレーム１の強度を高めるための補強材としての作用も奏す。
取着具３は、収容網６を取り付けて、除去装置を海上に浮かべた際に、収容網６の浮遊物取り入れ口６０（後述）が海面を含む高さに位置するように設定してある。
【００２７】
上記したフレーム構成材１１，１１には、収容網６を海苔網に沿って案内する案内手段である横ずれ防止体４が設けてある。横ずれ防止体４は、横ずれを防止して、収容網６の取り入れ口６０が海苔網の上方からずれないようにするためのものであり、海苔網の幅方向両端よりも外側に位置している。
【００２８】
横ずれ防止体４は、所要長さ及び所要径を有する金属製の線材の略真ん中を、フレーム構成材１１の直径よりもやや広い径を有するように「Ｕ」状に折り返して曲げて折曲部４０を形成して、折曲部４０を挟んで折り曲げた線材が略平行になるようにし、更に全体を円弧状に折り曲げることで形成してある。
【００２９】
横ずれ防止体４は、膨らんだ部分を下向きにしてフレーム構成材１１の上方から線材でフレーム構成材１１を挟むように差し込み、折曲部４０とは反対側の端部を、折曲部１１０の上側の取り付け部４１に回動可能に設けて取りつけてある。横ずれ防止体４は、常態で、折曲部４０の内側とフレーム構成材１１上側とが当接して停止している。横ずれ防止体４は、このように取り付けてあり、障害物に当たったときに上方に移動して逃げ、横ずれ防止体４が障害物に引っ掛からないように構成されている。
【００３０】
フレーム１の周りには、金属製の線材を円弧状に曲げて形成してあるガード部５が設けてあり、フレーム１に障害物が直接接触しないようにしている。
【００３１】
フレーム構成材１１の一方には、除去装置Ｓが潮に流されるのを防止する流れ止めロープＲの一端が結びつけてある。流れ止めロープＲは、使用時には他端が海苔採取作業船の所要箇所に結びつけられる。
【００３２】
収容網６は、長方形状に開口した取り入れ口６０を備え、所要奥行き有する合成樹脂製の網状体で袋状に形成してある。収容網６の網の目は、海水を通し、浮遊物は通さない程度の大きさを有している。
取り入れ口６０の周縁部には、引掛部３３０と掛合し、収容網６を取着具３に取り付けることができるようにする取着孔６００が形成してある。
収容網６は、引掛部３３０を取着孔６００に通して引っ掛けることによって取着具３に取りつけられる。
【００３３】
なお、フレーム構成材１０，１１及び腕材１２は、剛性を有する金属製の小径の丸パイプ材を使用したが、材料はこれに限定するものではなく、強度を維持することができれば、例えば所要の径を有する線材、角パイプ、丸鋼材、角鋼材等、板状鋼材を使用することもできる。
また、取着具３を構成する横骨材３１，３２，３４と縦骨材３３、横ずれ防止体４及びガード部５は、それぞれ剛性を有する金属製の線材で構成するようにしたが、これも限定するものではなく、例えば、丸パイプ、角パイプ、丸鋼材、角鋼材、板状鋼材等を使用することもできる。
更に、材料も上記したような金属製のものに限定するものではなく、強度が維持でき、かつフロート２によって浮かせることができれば、例えば合成樹脂や木材で形成されたものを使用することもできる。
フロート２も発泡スチロールで形成されたものを使用したが、材料はこれに限定するものではなく、例えば、合成樹脂、木材、ゴムボールのような風船状体等を使用することもできる。
【００３４】
また、本実施の形態で収容網６を取り付ける取着具３は、フレーム１に固定した状態で取り付けられているが、取着具３はこれに限定するものではなく、例えば、フレーム１より着脱可能に設けることもできる。これにより取着具３を取り付けた状態の収容網６をフレーム１にワンタッチで取り付けるようなこともできる。
【００３５】
（作  用）
図３は除去装置の使用状態を示す説明図、
図４は図３に示す除去装置を側面視した説明図である。
図１ないし図４を参照して本実施の形態で示す除去装置の作用を説明する。
なお、符号７は海苔網を示し、符号８は海苔採取作業船を示している。また、符号９０は海苔網７を係留する吊り綱を示し、符号９１は、海底に立設してある支柱を示している。
【００３６】
除去装置Ｓは、横ずれ防止体４と後方側の両端のフロート２が海苔網７の幅方向の両端より外側に設けられるようにして、フロート２によって海苔採取作業船８の進行方向前方の海上に浮かせて配置する。
【００３７】
海苔採取作業船８の前方に配置した除去装置Ｓは、海苔採取作業船８に引き上げられる海苔網７により後押しされて前方へ移動する。
【００３８】
除去装置Ｓの前方側に位置している海苔網７は、横骨材３２がフレーム構成材１１，１１の折曲部１１１間に架設してあり、海面より下方に配置されていることにより、後方の海苔網７を海苔採取作業船８に引き上げることで、海面に浮いた状態から海面下方へ誘導される。
これにより海苔網７上に付着している浮遊物を海苔網７から浮かせて離すことができる。
【００３９】
海苔網７から離れて浮かんだ浮遊物は、除去装置Ｓが前方へ移動することにより、取り入れ口６０から収容網６内に取り込まれ、海面より除去される。
【００４０】
除去装置Ｓが横方向にずれようとするときには、横ずれ防止体４と後方側の両端のフロート２の内側の面が海苔網７の幅方向の縁部に当たるので、除去装置Ｓは横方向に移動しない。
これにより収容網６の取り入れ口６０は、常時、海苔網７の上に位置しながら海苔網７に沿って移動するため、浮遊物の除去洩れ防止を図ることができる。
【００４１】
除去装置Ｓの移動中に海苔網７を係留する吊り綱９０や海苔網７を浮かせる浮き竹（図示省略）等の障害物が横ずれ防止体４に当たったような場合でも、横ずれ防止体４は、取り付け部４１を中心として折曲部４０の側が上方に移動し障害物から逃げるので、引っ掛からない。
【００４２】
なお、フロート２は、フレーム構成材１０を軸として回転するので、引き上げられる海苔網７がフロート２に接触しても除去装置Ｓはなめらかに移動することができ、作業がし易い。
【００４３】
フレーム１の周りにガード部５が設けてあるので、例えば、立設してある支柱９１等に除去装置Ｓが衝突する場合の破損を防止できる。
【００４４】
除去装置Ｓは、上記したように海苔採取作業船８の進行方向前方の海上に浮かせて配置するだけで、直ちに海苔網７を海苔採取作業船８に引き上げて海苔の採取作業を行うことができる。このように除去装置Ｓでは、海苔採取作業船への取りつけ作業等の手間を省くことができる。これにより作業時間の短縮が図れる。
【００４５】
なお、本実施の形態で示す除去装置は、フロート２を使用することによって海上に浮かせてあるが、これに限定するものではなく、他の材料、例えば、フレーム等が相当の浮力を有しており、それだけで海上に浮くことができるようであれば、フロートは特に必要とされない。
【００４６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００４７】
【発明の効果】
本発明は上記構成を備え、次の効果を有する。
本発明に係る海上浮遊物の除去装置は、作業船の進行方向前方の海上に浮かべて配置するだけで、直ちに海苔網を作業船に引き上げて海苔の採取作業を行うことができる。従って、除去装置では、作業船への取りつけ作業等の手間を省くことができる。これにより作業時間の短縮が図れる。
【図面の簡単な説明】
【図１】本発明に係る海上浮遊物の除去装置の一実施の形態を示しており、収容網をフレームの取着具から取り外した状態を表した分解斜視説明図。
【図２】図１に示す海上浮遊物の除去装置において、収容網を除いた状態を表す平面図。
【図３】除去装置の使用状態を示す説明図。
【図４】図３に示す除去装置を側面視した説明図。
【符号の説明】
Ｓ  海上浮遊物の除去装置
Ｒ  流れ止めロープ
１  フレーム
１０，１０ａ  フレーム構成材
１１  フレーム構成材
１１０  折曲部
１１１  折曲部
１２  腕材
２  フロート
３  取着具
３１  横骨材
３２  横骨材
３３  縦骨材
３３０  引掛部
３４  横骨材
４  横ずれ防止体
４０  折曲部
４１  取り付け部
５  ガード部
６  収容網
６０  取り入れ口
６００  取着孔
７  海苔網
８  海苔採取作業船
９０  吊り綱
９１  支柱
【図１】
0003605540.tif 000002
【図２】
0003605540.tif 000003
【図３】
0003605540.tif 000004
【図４】
0003605540.tif 000005